(57)【要約】【課題】本発明は、移行元端末装置の使用者以外の者の端末への著作権データの転送を防ぎ、時間と手間を必要とせずに移行元端末装置から移行先端末装置へデータの転送が可能であり、記憶領域を効率的に利用可能なデータ移転システム及びデータ移転方法の提供を目的とする。【解決手段】本願発明のデータ移転システムは、コンテンツデータの使用許諾を得ているか否かを示す著作権情報及び予め保有する契約者情報が関連付けられた管理テーブル並びにコンテンツデータを格納し、コンテンツデータの移転を命令するデータ移転命令及び契約者情報を受信すると、管理テーブルの契約者情報と受信した契約者情報が一致するか否かを判定し、一致する場合にコンテンツデータを送信する移行元端末装置１と、予め保有する契約者情報及びデータ移転命令を移行元端末装置へ送信し、移行元端末装置からコンテンツデータを受信する移行先端末装置２と、を備える。【選択図】図１
2011123818.tif 000002
【特許請求の範囲】
【請求項１】
コンテンツデータの使用許諾を得ているか否かを示す著作権情報及び予め保有する契約者情報が関連付けられた管理テーブル並びに前記コンテンツデータを格納し、コンテンツデータの移転を命令するデータ移転命令及び契約者情報を受信すると、前記管理テーブルの契約者情報と受信した契約者情報が一致するか否かを判定し、一致する場合にコンテンツデータを送信する移行元端末装置と、
予め保有する契約者情報及び前記データ移転命令を前記移行元端末装置へ送信し、前記移行元端末装置からコンテンツデータを受信する移行先端末装置と、
を備えるデータ移転システム。
【請求項２】
前記移行元端末装置は、前記管理テーブルの著作権情報において使用許諾を得ているコンテンツデータを前記移行先端末装置へ送信し、前記管理テーブルの著作権情報において使用許諾を得ていないコンテンツデータは前記移行先端末装置へ送信しないことを特徴とする請求項１に記載のデータ移転システム。
【請求項３】
前記予め保有する契約者情報は、ＳＩＭ（Ｓｕｂｓｃｒｉｂｅｒ  Ｉｄｅｎｔｉｔｙ  Ｍｏｄｕｌｅ）カードに記録されているＩＤ番号で特定される電話番号であることを特徴とする請求項１又は２に記載のデータ移転システム。
【請求項４】
コンテンツデータの使用許諾を得ているか否かを示す著作権情報及び移行元端末装置の契約者情報が関連付けられた管理テーブル並びに前記コンテンツデータを格納する移行元端末装置に対して、コンテンツデータの移転を命令するデータ移転命令及び移行先端末装置の契約者情報を送信するデータ移転命令手順と、
前記管理テーブルの契約者情報と前記移行元端末装置の受信した契約者情報が一致するか否かを判定し、一致する場合にコンテンツデータを前記移行元端末装置から前記移行先端末装置へ送信するコンテンツデータ移転手順と、
を順に有するデータ移転システムのデータ移転方法。
【請求項５】
コンテンツデータの移転を命令するデータ移転命令及び予め保有する契約者情報を送信し、コンテンツデータを受信する移行先通信部を備える移行先端末装置。
【請求項６】
コンテンツデータの移転を命令するデータ移転命令及び移行先端末装置が予め保有する契約者情報を送信するデータ移転命令送信手順と、
コンテンツデータを受信するコンテンツデータ受信手順と、
を順に有する移行先端末装置のデータ移転方法。
【請求項７】
コンテンツデータの移転を命令するデータ移転命令及び契約者情報を、移行先通信部が送信するデータ移転命令送信手順と、
コンテンツデータを移行先通信部が受信するコンテンツデータ受信手順と、
を順に通信端末装置に実行させる移行先端末装置のデータ移転プログラム。
【請求項８】
コンテンツデータの使用許諾を得ているか否かを示す著作権情報及び予め保有する契約者情報が関連付けられた管理テーブル並びに前記コンテンツデータを格納する記憶部と、
前記記憶部に記憶されている前記管理テーブルの契約者情報と受信した契約者情報が一致するか否かを判定する契約者情報判定部と、
コンテンツデータの移転を命令するデータ移転命令及び契約者情報を受信し、前記契約者情報判定部が一致すると判定する場合、前記記憶部に格納されているコンテンツデータを送信する移行元通信部と、
を備える移行元端末装置。
【請求項９】
コンテンツデータの使用許諾を得ているか否かを示す著作権情報及び契約者情報が関連付けられた管理テーブル並びに前記コンテンツデータを予め格納し、コンテンツデータの移転を命令するデータ移転命令及び契約者情報を受信すると、前記管理テーブルの契約者情報と受信した契約者情報が一致するか否かを判定し、一致する場合にコンテンツデータを送信するコンテンツデータ送信手順を、
有する移行元端末装置のデータ移転方法。
【請求項１０】
コンテンツデータの使用許諾を得ているか否かを示す著作権情報及び契約者情報が関連付けられた管理テーブル並びに前記コンテンツデータを予め記憶部に格納し、コンテンツデータの移転を命令するデータ移転命令及び契約者情報を移行元通信部が受信すると、前記管理テーブルの契約者情報と前記移行元通信部の受信した契約者情報が一致するか否かを判定し、一致する場合にコンテンツデータを前記移行元通信部が送信するコンテンツデータ送信手順を、
通信端末装置に実行させる移行元端末装置のデータ移転プログラム。
【発明の詳細な説明】
【技術分野】
【０００１】
本発明は、データ移転システム及びデータ移転方法に関し、特にデータの転送が制限されているコンテンツデータを転送するためのデータ移転システム及びデータ移転方法に関する。
【背景技術】
【０００２】
コンテンツの著作権を保護するため、コンテンツデータによっては、ダウンロードした通信端末装置以外へのデータの転送及び複製が行えないようになっている。このため、通信端末装置の機種変更を行う際に、旧機種の移行元端末装置から新機種の移行先端末装置へデータの転送が行えないという問題があった。このような問題を解決する技術が特許文献１から３に記載されている。
【０００３】
特許文献１のシステムは、移行元端末装置と、移行先端末装置と、から構成されており、以下のように動作する。移行元端末装置は、著作権があるか否かを記憶する。移行先端末装置は、移行元端末装置からデータの移転を行い、移行元端末装置に「著作権あり」と記憶されているか否かを判定する。そして、「著作権あり」と記憶されている場合には、移行先端末装置は、移行元端末装置のデータを消去する。
【０００４】
特許文献２のシステムは、移行元端末装置と、移行先端末装置と、制御システムと、から構成されており、以下のように動作する。制御システムは、移行元端末装置が正当なユーザであるか否かの認証を行う。移行元端末装置が正当なユーザの場合、移行元端末装置は、移行先端末装置に機種を変更したい旨の要求を行い、制御システムにデータをアップロードする。移行先端末装置は、制御システムからデータをダウンロードする。
【０００５】
特許文献３のシステムは、移行元端末装置と、移行先端末装置と、から構成されており、以下のように動作する。移行元端末装置は、ダウンロードした電子ファイルに、移行元端末装置の使用者の個人識別情報を付与して保存する。通信端末装置の機種変更を行う際には、移行元端末装置は、電子ファイルに付与されている個人識別情報と、移行先端末装置から取得した移転先機種とを照合し、一致している場合に当該電子ファイルを移行先端末装置に対して送信する。
【先行技術文献】
【特許文献】
【０００６】
【特許文献１】特開２００３−０９１４６０号公報
【特許文献２】特開２００５−０７８４１８号公報
【特許文献３】特開２００７−３３４４５３号公報
【発明の概要】
【発明が解決しようとする課題】
【０００７】
上述した特許文献１においては、移行元端末装置と移行先端末装置の使用者が同一であることを確認しないため、移行元端末装置の使用者以外の者の端末へのコンテンツデータの転送が可能であった。
【０００８】
上述した特許文献２においては、制御システムに一端接続し、制御システムにおいて移行元端末装置と移行先端末装置の使用者を照合しなければならないため、移行元端末装置から移行先端末装置へデータの転送に時間と手間を要する問題があった。
【０００９】
上述した特許文献３においては、ダウンロードした各電子ファイルに使用者の個人識別情報を付与するため、１台の端末内に使用者の個人識別情報を重複して記憶することとなり、記憶領域の効率的な利用を妨げるという問題があった。
【００１０】
そこで、本発明は、移行元端末装置の使用者以外の者の端末へのコンテンツデータの転送を防ぎ、時間と手間を必要とせずに移行元端末装置から移行先端末装置へデータの転送が可能であり、記憶領域を効率的に利用可能なデータ移転システム、データ移転システムのデータ移転方法、移行先端末装置、移行先端末装置のデータ移転方法、移行先端末装置のデータ移転プログラム、移行元端末装置、移行元端末装置のデータ移転方法及び移行元端末装置のデータ移転プログラムの提供を目的とする。
【課題を解決するための手段】
【００１１】
本願発明のデータ移転システムは、コンテンツデータの使用許諾を得ているか否かを示す著作権情報及び予め保有する契約者情報が関連付けられた管理テーブル並びに前記コンテンツデータを格納し、コンテンツデータの移転を命令するデータ移転命令及び契約者情報を受信すると、前記管理テーブルの契約者情報と受信した契約者情報が一致するか否かを判定し、一致する場合にコンテンツデータを送信する移行元端末装置と、予め保有する契約者情報及び前記データ移転命令を前記移行元端末装置へ送信し、前記移行元端末装置からコンテンツデータを受信する移行先端末装置と、を備える。
【００１２】
本願発明のデータ移転システムのデータ移転方法は、コンテンツデータの使用許諾を得ているか否かを示す著作権情報及び移行元端末装置の契約者情報が関連付けられた管理テーブル並びに前記コンテンツデータを格納する移行元端末装置に対して、コンテンツデータの移転を命令するデータ移転命令及び移行先端末装置の契約者情報を送信するデータ移転命令手順と、前記管理テーブルの契約者情報と前記移行元端末装置の受信した契約者情報が一致するか否かを判定し、一致する場合にコンテンツデータを前記移行元端末装置から前記移行先端末装置へ送信するコンテンツデータ移転手順と、を順に有する。
【００１３】
本願発明の移行先端末装置は、コンテンツデータの移転を命令するデータ移転命令及び予め保有する契約者情報を送信し、コンテンツデータを受信する移行先通信部を備える。
【００１４】
本願発明の移行先端末装置のデータ移転方法は、コンテンツデータの移転を命令するデータ移転命令及び通信端末装置が予め保有する契約者情報を送信するデータ移転命令送信手順と、コンテンツデータを受信するコンテンツデータ受信手順と、を順に有する。
【００１５】
本願発明の移行先端末装置のデータ移転プログラムは、コンテンツデータの移転を命令するデータ移転命令及び契約者情報を、移行先通信部が送信するデータ移転命令送信手順と、コンテンツデータを移行先通信部が受信するコンテンツデータ受信手順と、を順に通信端末装置に実行させる。
【００１６】
本願発明の移行元端末装置は、コンテンツデータの使用許諾を得ているか否かを示す著作権情報及び予め保有する契約者情報が関連付けられた管理テーブル並びに前記コンテンツデータを格納する記憶部と、前記記憶部に記憶されている前記管理テーブルの契約者情報と受信した契約者情報が一致するか否かを判定する契約者情報判定部と、コンテンツデータの移転を命令するデータ移転命令及び契約者情報を受信し、前記契約者情報判定部が一致すると判定する場合、前記記憶部に格納されているコンテンツデータを送信する移行元通信部と、を備える。
【００１７】
本願発明の移行元端末装置のデータ移転方法は、コンテンツデータの使用許諾を得ているか否かを示す著作権情報及び契約者情報が関連付けられた管理テーブル並びに前記コンテンツデータを予め格納し、コンテンツデータの移転を命令するデータ移転命令及び契約者情報を受信すると、前記管理テーブルの契約者情報と受信した契約者情報が一致するか否かを判定し、一致する場合にコンテンツデータを送信するコンテンツデータ送信手順を、有する。
【００１８】
本願発明の移行元端末装置のデータ移転プログラムは、コンテンツデータの使用許諾を得ているか否かを示す著作権情報及び契約者情報が関連付けられた管理テーブル並びに前記コンテンツデータを予め記憶部に格納し、コンテンツデータの移転を命令するデータ移転命令及び契約者情報を移行元通信部が受信すると、前記管理テーブルの契約者情報と前記移行元通信部の受信した契約者情報が一致するか否かを判定し、一致する場合にコンテンツデータを前記移行元通信部が送信するコンテンツデータ送信手順を、通信端末装置に実行させる。
【発明の効果】
【００１９】
本発明によれば、移行元端末装置の使用者以外の者の端末へのコンテンツデータの転送を防ぎ、時間と手間を必要とせずに移行元端末装置から移行先端末装置へデータの転送が可能であり、記憶領域を効率的に利用可能なデータ移転システム、データ移転システムのデータ移転方法、移行先端末装置、移行先端末装置のデータ移転方法、移行先端末装置のデータ移転プログラム、移行元端末装置、移行元端末装置のデータ移転方法及び移行元端末装置のデータ移転プログラムを提供することができる。
【図面の簡単な説明】
【００２０】
【図１】本実施形態に係るデータ移転システムの一例を示す。
【図２】管理テーブルの一例を示す。
【図３】本実施形態に係るデータ移転システムの動作の一例を示す説明図である。
【図４】本実施形態に係るデータ移転システムのデータ移転方法の一例を示すフローチャートである。
【図５】本実施形態に係る移行先端末装置のデータ移転方法の一例を示すフローチャートである。
【図６】本実施形態に係る移行元端末装置のデータ移転方法の一例を示すフローチャートである。
【発明を実施するための形態】
【００２１】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２２】
図１に、本実施形態に係るデータ移転システムの一例を示す。本実施形態に係るデータ移転システムは、移行元端末装置１と、移行先端末装置２と、を備える。移行元端末装置１及び移行先端末装置２は、例えば携帯電話である。移行元端末装置１は、移行元通信部１１と、契約者情報判定部１２と、記憶部１３と、を備える。移行先端末装置２は、移行先通信部２１を備える。
【００２３】
記憶部１３は、コンテンツデータの使用許諾を得ているか否かを示す著作権情報及び予め保有する契約者情報が関連付けられた管理テーブル並びにコンテンツデータを格納する。図２に、管理テーブルの一例を示す。管理テーブルは、著作権情報及び契約者情報が関連付けられたテーブルである。
【００２４】
コンテンツデータは、有償又は無償でダウンロードしたコンテンツデータのうち、コンテンツの著作権が保護されるべきデータである。コンテンツの著作権が保護されるべきデータは、例えば、待受画面などの画像データ、音楽データ、着せ替えデータなどの画像加工用データである。
【００２５】
契約者情報は、移行元端末装置１が予め保有する情報である。移行元端末装置１が予め保有する情報は、例えば、ＳＩＭ（Ｓｕｂｓｃｒｉｂｅｒ  Ｉｄｅｎｔｉｔｙ  Ｍｏｄｕｌｅ）カードに記録されているＩＤ（ｉｄｅｎｔｉｆｉｃａｔｉｏｎ）番号である。また、ＳＩＭカードに記録されているＩＤ番号で特定される電話番号である。著作権情報は、コンテンツデータの使用許諾を得ているか否かを示す情報である。本発明では、管理テーブルを用いて著作権情報及び契約者情報を管理するため、契約者情報を１つにまとめることができる。このため、記憶部１３の記憶領域を有効利用することができる。
【００２６】
管理テーブルの著作権情報は、コンテンツデータのダウンロード時に随時追加する。例えば、コンテンツデータＡのダウンロード時に、契約者情報を取得して管理テーブルの契約者情報と一致するか否かを判定する。契約者情報が一致すれば、その管理テーブルの著作権情報に、コンテンツデータＡの名称と使用許諾を受けた旨を格納する。コンテンツデータを取得したものの使用許諾を得ていないコンテンツデータＢについては、使用許諾を受けていない旨を格納する。そもそも著作権を保護する必要のないコンテンツデータＣについては、管理テーブルに格納しなくてもよいし、著作権フリーである旨を格納してもよい。
【００２７】
以下、図３を参照しながら、具体的に説明する。図３は、本実施形態に係るデータ移転システムの動作の一例を示す説明図である。移行元制御システム１４は、図１に示す移行元通信部１１及び契約者情報判定部１２を備える。移行先制御システム２４は、図１に示す移行先通信部２１を備える。
【００２８】
本実施形態に係るデータ移転システムは、データ移転システムのデータ移転方法を実行する。図４に、データ移転システムのデータ移転方法の一例を示す。データ移転システムのデータ移転方法は、データ移転命令手順Ｓ１０１と、コンテンツデータ移転手順Ｓ１０２と、を順に有する。
【００２９】
データ移転命令手順Ｓ１０１では、コンテンツデータの使用許諾を得ているか否かを示す著作権情報及び移行元端末装置１の契約者情報が関連付けられた管理テーブル並びにコンテンツデータを格納する移行元端末装置１に対して、コンテンツデータの移転を命令するデータ移転命令及び移行先端末装置２の契約者情報を送信する。コンテンツデータ移転手順Ｓ１０２では、管理テーブルの契約者情報と移行元端末装置１の受信した契約者情報が一致するか否かを判定し、一致する場合にコンテンツデータを移行元端末装置１から移行先端末装置２へ送信する。
【００３０】
移行元端末装置１は、移行元端末装置１のデータ移転方法を実行する。図５は、移行元端末装置１のデータ移転方法の一例を示すフローチャートである。移行元端末装置１のデータ移転方法は、コンテンツデータ送信手順Ｓ１１２を実行する。
【００３１】
コンテンツデータ送信手順Ｓ１１２では、コンテンツデータの使用許諾を得ているか否かを示す著作権情報及び契約者情報が関連付けられた管理テーブル並びにコンテンツデータを予め記憶部１３に格納し、コンテンツデータの移転を命令するデータ移転命令及び契約者情報を移行元通信部１１が受信すると、管理テーブルの契約者情報と移行元通信部１１の受信した契約者情報が一致するか否かを判定し、一致する場合にコンテンツデータを移行元通信部１１が送信する。
【００３２】
図１に示す移行元端末装置１は、移行元端末装置１のデータ移転プログラムを通信端末装置に実行させることで実現してもよい。移行元端末装置１のデータ移転プログラムは、例えば、図５に示すフローチャートを通信端末装置に実行させるプログラムである。
【００３３】
移行先通信部２１は、移行先端末装置２のデータ移転方法を実行する。図６は、移行先端末装置２のデータ移転方法の一例を示すフローチャートである。移行先端末装置２のデータ移転方法は、データ移転命令送信手順Ｓ１２１と、コンテンツデータ受信手順Ｓ１２２と、順に有する。
【００３４】
データ移転命令送信手順Ｓ１２１では、コンテンツデータの移転を命令するデータ移転命令及び契約者情報を、移行先通信部２１が送信する。コンテンツデータ受信手順Ｓ１２２では、コンテンツデータを移行先通信部２１が受信する。
【００３５】
図１に示す移行先端末装置２は、移行先端末装置２のデータ移転プログラムを通信端末装置に実行させることで実現してもよい。移行先端末装置２のデータ移転プログラムは、例えば、図６に示すフローチャートを通信端末装置に実行させるプログラムである。
【００３６】
移行元端末装置１側では移行元制御システム１４が記憶部１３から契約者情報を取得し、移行先端末装置２では移行先制御システム２４が機種内の契約者情報を取得することによって、双方の情報を比較する。比較結果が同一の場合に著作権情報に基づき、コンテンツデータの移転または複写を可能とする。
【００３７】
移行元端末装置１にて購入したコンテンツについて、権利が契約者（購入者）である場合に、機種変更の際にコンテンツデータを移行先端末装置２へ引継ぎ移転することができる。購入者（契約者）が同一の場合にコンテンツデータの引継ぎ移転を可能とするように制御することにより、契約者の継続使用を可能とし、移行元端末装置１を保持する原因を排除し、移行元端末装置１の回収率を上げることができる。
【００３８】
図４に示すコンテンツデータ移転手順Ｓ１０２において、移行元端末装置１は、使用許諾を得ているコンテンツデータＡを移行元端末装置１から移行先端末装置２へ送信し、使用許諾を得ていないコンテンツデータＢについてはコンテンツデータを移行元端末装置１から移行先端末装置２へ送信しない。
【００３９】
この場合、図５に示すコンテンツデータ送信手順Ｓ１１２において、移行元通信部１１は、管理テーブルの著作権情報において使用許諾を得ているコンテンツデータＡを送信し、管理テーブルの著作権情報において使用許諾を得ていないコンテンツデータＢは送信しない。図６に示すコンテンツデータ受信手順Ｓ１２２において、移行先通信部２１は、管理テーブルの著作権情報において使用許諾を得ているコンテンツデータＡを受信し、管理テーブルの著作権情報において使用許諾を得ていないコンテンツデータＢは受信しない。
【００４０】
図４に示すデータ移転命令手順Ｓ１０１及び図６に示すデータ移転命令送信手順Ｓ１２１において、移行先通信部２１は、データ移転命令及び契約者情報を、赤外線通信を用いて移行元端末装置１へ送信してもよい。赤外線転送を用いる際は暗証番号入力を必要としているため、暗証番号入力にて同一契約者とみなすことも可能である。
【００４１】
図４に示すコンテンツデータ移転手順Ｓ１０２及び図５に示すコンテンツデータ送信手順Ｓ１１２において、移行元通信部１１は、コンテンツデータを、赤外線通信を用いて移行先端末装置２へ送信してもよい。この場合、図６に示すコンテンツデータ受信手順Ｓ１２２において、移行先通信部２１は、コンテンツデータを、赤外線通信を用いて移行元端末装置１から受信する。赤外線転送を用いる際は暗証番号入力を必要としているため、暗証番号入力にて同一契約者とみなすことも可能である。
【００４２】
図４に示すデータ移転命令手順Ｓ１０１及び図６に示すデータ移転命令送信手順Ｓ１２１において、移行先通信部２１は、データ移転命令及び契約者情報を、メモリ転送ケーブルを介して移行元端末装置１へ送信してもよい。メモリ転送ケーブルは、移行元端末装置１内の記憶部１３に記憶されているデータを転送する専用ケーブルであり、データ移転時に暗証番号の入力を必要とする。このため、メモリ転送ケーブルを用いることで、暗証番号入力にて同一契約者とみなすことも可能である。
【００４３】
図４に示すコンテンツデータ移転手順Ｓ１０２及び図５に示すコンテンツデータ送信手順Ｓ１１２において、移行元通信部１１は、コンテンツデータを、メモリ転送ケーブルを介して移行先端末装置２へ送信してもよい。この場合、図６に示すコンテンツデータ受信手順Ｓ１２２において、移行先通信部２１は、コンテンツデータを、メモリ転送ケーブルを介して移行元端末装置１から受信する。メモリ転送ケーブルを用いることで、暗証番号入力にて同一契約者とみなすことも可能である。
【産業上の利用可能性】
【００４４】
本発明は情報通信産業に利用することができる。
【００４５】
（付記１）  コンテンツデータの使用許諾を得ているか否かを示す著作権情報及び予め保有する契約者情報が関連付けられた管理テーブル並びに前記コンテンツデータを格納し、コンテンツデータの移転を命令するデータ移転命令及び契約者情報を受信すると、前記管理テーブルの契約者情報と受信した契約者情報が一致するか否かを判定し、一致する場合にコンテンツデータを送信する移行元端末装置と、
予め保有する契約者情報及び前記データ移転命令を前記移行元端末装置へ送信し、前記移行元端末装置からコンテンツデータを受信する移行先端末装置と、
を備えるデータ移転システム。
【００４６】
（付記２）  前記移行元端末装置は、前記管理テーブルの著作権情報において使用許諾を得ているコンテンツデータを前記移行先端末装置へ送信し、前記管理テーブルの著作権情報において使用許諾を得ていないコンテンツデータは前記移行先端末装置へ送信しないことを特徴とする付記１に記載のデータ移転システム。
【００４７】
（付記３）  前記予め保有する契約者情報は、ＳＩＭカードに記録されているＩＤ番号で特定される電話番号であることを特徴とする付記１又は２に記載のデータ移転システム。
【００４８】
（付記４）  前記予め保有する契約者情報は、ＳＩＭカードに記録されているＩＤ番号であることを特徴とする付記１から３のいずれかに記載のデータ移転システム。
【００４９】
（付記５）  前記移行元端末装置は、赤外線通信を用いて前記データ移転命令及び契約者情報を受信し、赤外線通信を用いて前記コンテンツデータを送信し、
前記移行先端末装置は、赤外線通信を用いて前記データ移転命令及び前記契約者情報を送信し、赤外線通信を用いて前記コンテンツデータを受信することを特徴とする付記１から４のいずれかに記載のデータ移転システム。
【００５０】
（付記６）  前記移行元端末装置は、メモリ転送ケーブルを介して前記データ移転命令及び前記契約者情報を受信し、メモリ転送ケーブルを介して前記コンテンツデータを送信し、
前記移行先端末装置は、メモリ転送ケーブルを介して前記データ移転命令及び前記契約者情報を送信し、メモリ転送ケーブルを介して前記コンテンツデータを受信することを特徴とする付記１から５のいずれかに記載のデータ移転システム。
【００５１】
（付記７）  コンテンツデータの使用許諾を得ているか否かを示す著作権情報及び移行元端末装置の契約者情報が関連付けられた管理テーブル並びに前記コンテンツデータを格納する移行元端末装置に対して、コンテンツデータの移転を命令するデータ移転命令及び移行先端末装置の契約者情報を送信するデータ移転命令手順と、
前記管理テーブルの契約者情報と前記移行元端末装置の受信した契約者情報が一致するか否かを判定し、一致する場合にコンテンツデータを前記移行元端末装置から前記移行先端末装置へ送信するコンテンツデータ移転手順と、
を順に有するデータ移転システムのデータ移転方法。
【００５２】
（付記８）  前記コンテンツデータ移転手順において、
使用許諾を得ているコンテンツデータを前記移行元端末装置から前記移行先端末装置へ送信し、
使用許諾を得ていないコンテンツデータについてはコンテンツデータを前記移行元端末装置から前記移行先端末装置へ送信しない
ことを特徴とする付記７に記載のデータ移転システムのデータ移転方法。
【００５３】
（付記９）  前記データ移転命令手順において、
前記移行先端末装置の契約者情報は、前記移行先端末装置の保有するＳＩＭカードに記録されているＩＤ（ｉｄｅｎｔｉｆｉｃａｔｉｏｎ）番号であり、
前記移行元端末装置の契約者情報は、コンテンツデータの使用許諾時に前記移行元端末装置の保有していたＳＩＭカードに記録されているＩＤ番号であることを特徴とする付記７又は８に記載のデータ移転システムのデータ移転方法。
【００５４】
（付記１０）  前記データ移転命令手順において、
前記移行先端末装置の契約者情報は、前記移行先端末装置の保有するＳＩＭカードに記録されているＩＤ番号で特定される電話番号であり、
前記移行元端末装置の契約者情報は、コンテンツデータの使用許諾時に前記移行元端末装置の保有していたＳＩＭカードに記録されているＩＤ番号で特定される電話番号であることを特徴とする付記７から９のいずれかに記載のデータ移転システムのデータ移転方法。
【００５５】
（付記１１）  前記データ移転命令手順において、前記データ移転命令及び前記契約者情報を、赤外線通信を用いて前記移行先端末装置から前記移行元端末装置へ送信し、
前記コンテンツデータ移転手順において、コンテンツデータを、赤外線通信を用いて前記移行元端末装置から前記移行先端末装置へ送信することを特徴とする付記７から１０のいずれかに記載のデータ移転システムのデータ移転方法。
【００５６】
（付記１２）  前記データ移転命令手順において、前記データ移転命令及び前記契約者情報を、メモリ転送ケーブルを介して前記移行先端末装置から前記移行元端末装置へ送信し、
前記コンテンツデータ移転手順において、コンテンツデータを、メモリ転送ケーブルを介して前記移行元端末装置から前記移行先端末装置へ送信することを特徴とする付記７から１１のいずれかに記載のデータ移転システムのデータ移転方法。
【００５７】
（付記１３）  コンテンツデータの移転を命令するデータ移転命令及び予め保有する契約者情報を送信し、コンテンツデータを受信する移行先通信部を備える移行先端末装置。
【００５８】
（付記１４）  前記予め保有する契約者情報は、ＳＩＭカードに記録されているＩＤ番号であることを特徴とする付記１３に記載の移行先端末装置。
【００５９】
（付記１５）  前記予め保有する契約者情報は、ＳＩＭカードに記録されているＩＤ番号で特定される電話番号であることを特徴とする付記１３又は１４に記載の移行先端末装置。
【００６０】
（付記１６）  前記移行先通信部は、赤外線通信を用いて前記データ移転命令及び前記契約者情報を送信し、赤外線通信を用いて前記コンテンツデータを受信することを特徴とする付記１３から１５のいずれかに記載の移行先端末装置。
【００６１】
（付記１７）  前記移行先通信部は、メモリ転送ケーブルを介して前記データ移転命令及び前記契約者情報を送信し、メモリ転送ケーブルを介して前記コンテンツデータを受信することを特徴とする付記１３から１６のいずれかに記載の移行先端末装置。
【００６２】
（付記１８）  コンテンツデータの移転を命令するデータ移転命令及び移行先端末装置が予め保有する契約者情報を送信するデータ移転命令送信手順と、
コンテンツデータを受信するコンテンツデータ受信手順と、
を順に有する移行先端末装置のデータ移転方法。
【００６３】
（付記１９）  前記データ移転命令送信手順において、
ＳＩＭカードに記録されているＩＤ番号を、前記契約者情報として送信することを特徴とする付記１８に記載の移行先端末装置のデータ移転方法。
【００６４】
（付記２０）  前記データ移転命令送信手順において、
ＳＩＭカードに記録されているＩＤ番号で特定される電話番号を、前記契約者情報として送信することを特徴とする付記１８又は１９に記載の移行先端末装置のデータ移転方法。
【００６５】
（付記２１）  前記データ移転命令送信手順において、
前記データ移転命令及び契約者情報を、赤外線通信を用いて送信することを特徴とする付記１８から２０のいずれかに記載の移行先端末装置のデータ移転方法。
【００６６】
（付記２２）  前記データ移転命令送信手順において、
前記データ移転命令及び前記契約者情報を、メモリ転送ケーブルを介して送信することを特徴とする付記１８から２１のいずれかに記載の移行先端末装置のデータ移転方法。
【００６７】
（付記２３）  コンテンツデータの移転を命令するデータ移転命令及び契約者情報を、移行先通信部が送信するデータ移転命令送信手順と、
コンテンツデータを移行先通信部が受信するコンテンツデータ受信手順と、
を順に通信端末装置に実行させる移行先端末装置のデータ移転プログラム。
【００６８】
（付記２４）  前記データ移転命令送信手順において、
ＳＩＭカードに記録されているＩＤ番号を、前記移行先通信部が、前記契約者情報として送信することを特徴とする付記２３に記載の移行先端末装置のデータ移転プログラム。
【００６９】
（付記２５）  前記データ移転命令送信手順において、
ＳＩＭカードに記録されているＩＤ番号で特定される電話番号を、前記移行先通信部が、前記契約者情報として送信することを特徴とする付記２３又は２４に記載の移行先端末装置のデータ移転プログラム。
【００７０】
（付記２６）  前記データ移転命令送信手順において、
前記データ移転命令及び前記契約者情報を、前記移行先通信部が、赤外線通信を用いて送信することを特徴とする付記２３から２５のいずれかに記載の移行先端末装置のデータ移転プログラム。
【００７１】
（付記２７）  前記データ移転命令送信手順において、
前記データ移転命令及び前記契約者情報を、前記移行先通信部が、メモリ転送ケーブルを介して送信することを特徴とする付記２３から２６のいずれかに記載の移行先端末装置のデータ移転プログラム。
【００７２】
（付記２８）  コンテンツデータの使用許諾を得ているか否かを示す著作権情報及び予め保有する契約者情報が関連付けられた管理テーブル並びに前記コンテンツデータを格納する記憶部と、
前記記憶部に記憶されている前記管理テーブルの契約者情報と受信した契約者情報が一致するか否かを判定する契約者情報判定部と、
コンテンツデータの移転を命令するデータ移転命令及び契約者情報を受信し、前記契約者情報判定部が一致すると判定する場合、前記記憶部に格納されているコンテンツデータを送信する移行元通信部と、
を備える移行元端末装置。
【００７３】
（付記２９）  前記移行元通信部は、前記管理テーブルの著作権情報において使用許諾を得ているコンテンツデータを送信し、前記管理テーブルの著作権情報において使用許諾を得ていないコンテンツデータは送信しないことを特徴とする付記２８に記載の移行元端末装置。
【００７４】
（付記３０）  前記予め保有する契約者情報は、ＳＩＭカードに記録されているＩＤ番号であることを特徴とする付記２８又は２９に記載の移行元端末装置。
【００７５】
（付記３１）  前記予め保有する契約者情報は、ＳＩＭカードに記録されているＩＤ番号で特定される電話番号であることを特徴とする請求２８から３０のいずれかに記載の移行元端末装置。
【００７６】
（付記３２）  前記移行元通信部は、赤外線通信を用いて前記データ移転命令及び前記契約者情報を受信し、赤外線通信を用いて前記コンテンツデータを送信することを特徴とする付記２８から３１のいずれかに記載の移行元端末装置。
【００７７】
（付記３３）  前記移行元通信部は、メモリ転送ケーブルを介して前記データ移転命令及び前記契約者情報を受信し、メモリ転送ケーブルを介して前記コンテンツデータを送信することを特徴とする付記２８から３２のいずれかに記載の移行元端末装置。
【００７８】
（付記３４）  コンテンツデータの使用許諾を得ているか否かを示す著作権情報及び契約者情報が関連付けられた管理テーブル並びに前記コンテンツデータを予め格納し、コンテンツデータの移転を命令するデータ移転命令及び契約者情報を受信すると、前記管理テーブルの契約者情報と受信した契約者情報が一致するか否かを判定し、一致する場合にコンテンツデータを送信するコンテンツデータ送信手順を、
有する移行元端末装置のデータ移転方法。
【００７９】
（付記３５）  前記コンテンツデータ送信手順において、前記管理テーブルの著作権情報において使用許諾を得ているコンテンツデータを送信し、前記管理テーブルの著作権情報において使用許諾を得ていないコンテンツデータは送信しないことを特徴とする付記３４に記載の移行元端末装置のデータ移転方法。
【００８０】
（付記３６）  前記コンテンツデータ送信手順において、前記契約者情報は、ＳＩＭカードに記録されているＩＤ番号であることを特徴とする付記３４又は３５に記載の移行元端末装置のデータ移転方法。
【００８１】
（付記３７）  前記コンテンツデータ送信手順において、前記契約者情報は、ＳＩＭカードに記録されているＩＤ番号で特定される電話番号であることを特徴とする付記３４から３６のいずれかに記載の移行元端末装置のデータ移転方法。
【００８２】
（付記３８）  前記コンテンツデータ送信手順において、赤外線通信を用いて前記データ移転命令及び契約者情報を受信し、赤外線通信を用いて前記コンテンツデータを送信することを特徴とする付記３４から３７のいずれかに記載の移行元端末装置のデータ移転方法。
【００８３】
（付記３９）  前記コンテンツデータ送信手順において、メモリ転送ケーブルを介して前記データ移転命令及び契約者情報を受信し、メモリ転送ケーブルを介してコンテンツデータを送信することを特徴とする付記３４から３８のいずれかに記載の移行元端末装置のデータ移転方法。
【００８４】
（付記４０）  コンテンツデータの使用許諾を得ているか否かを示す著作権情報及び契約者情報が関連付けられた管理テーブル並びに前記コンテンツデータを予め記憶部に格納し、コンテンツデータの移転を命令するデータ移転命令及び契約者情報を移行元通信部が受信すると、前記管理テーブルの契約者情報と前記移行元通信部の受信した契約者情報が一致するか否かを判定し、一致する場合にコンテンツデータを前記移行元通信部が送信するコンテンツデータ送信手順を、
通信端末装置に実行させる移行元端末装置のデータ移転プログラム。
【００８５】
（付記４１）  前記コンテンツデータ送信手順において、前記移行元通信部は、前記管理テーブルの著作権情報において使用許諾を得ているコンテンツデータを送信し、前記管理テーブルの著作権情報において使用許諾を得ていないコンテンツデータは送信しないことを特徴とする付記４０に記載の移行元端末装置のデータ移転プログラム。
【００８６】
（付記４２）  前記コンテンツデータ送信手順において、前記契約者情報は、ＳＩＭカードに記録されているＩＤ番号であることを特徴とする付記４０又は４１に記載の移行元端末装置のデータ移転プログラム。
【００８７】
（付記４３）  前記コンテンツデータ送信手順において、前記契約者情報は、ＳＩＭカードに記録されているＩＤ番号で特定される電話番号であることを特徴とする付記４０から４２のいずれかに記載の移行元端末装置のデータ移転プログラム。
【００８８】
（付記４４）  前記コンテンツデータ送信手順において、前記移行元通信部は、赤外線通信を用いて前記データ移転命令及び契約者情報を受信し、赤外線通信を用いて前記コンテンツデータを送信することを特徴とする付記４０から４３のいずれかに記載の移行元端末装置のデータ移転プログラム。
【００８９】
（付記４５）  前記コンテンツデータ送信手順において、前記移行元通信部は、メモリ転送ケーブルを介して前記データ移転命令及び契約者情報を受信し、メモリ転送ケーブルを介してコンテンツデータを送信することを特徴とする付記４０から４４のいずれかに記載の移行元端末装置のデータ移転プログラム。
【符号の説明】
【００９０】
１：移行元端末装置
２：移行先端末装置
１１：移行元通信部
１２：契約者情報判定部
１３：記憶部
１４：移行元制御システム
２１：移行先通信部
２４：移行先制御システム
【図１】
2011123818.tif 000003
【図２】
2011123818.tif 000004
【図３】
2011123818.tif 000005
【図４】
2011123818.tif 000006
【図５】
2011123818.tif 000007
【図６】
2011123818.tif 000008